(57)【要約】【課題】取り扱い性を向上し、効率よく組織を焼灼する。【解決手段】赤外光を含む白色光を発生する白色光源２と、該白色光源２から発せられた白色光Ｌを導光する導光部材３と、該導光部材３の先端に配置され、該導光部材３内を導光されてきた白色光Ｌを射出する射出口４ｃを有する先端チップ４とを備え、該先端チップ４が、射出口４ｃの少なくとも一側に、該射出口４ｃを挟んだ反対側の端縁近傍に焦点を有し、導光部材３内を導光されてきた白色光Ｌを反射して集光させる放物面状の反射面４ａ，４ｂを有するアブレーション装置１を提供する。【選択図】図１
2013022210.tif 000002
【特許請求の範囲】
【請求項１】
赤外光を含む白色光を発生する白色光源と、
該白色光源から発せられた白色光を導光する導光部材と、
該導光部材の先端に配置され、該導光部材内を導光されてきた白色光を射出する射出口を有する先端チップとを備え、
該先端チップが、前記射出口の少なくとも一側に、該射出口を挟んだ反対側の端縁近傍に焦点を有し、前記導光部材内を導光されてきた白色光を反射して集光させる放物面状の反射面を有するアブレーション装置。
【請求項２】
前記先端チップが、前記射出口を挟んだ両側に、対称に配置された複数の前記反射面を備える請求項１に記載のアブレーション装置。
【請求項３】
前記反射面が、複合放物面集光系を構成している請求項２に記載のアブレーション装置。
【請求項４】
前記先端チップが、前記射出口の中心軸回りに全周にわたって配置された前記反射面を備える請求項２に記載のアブレーション装置。
【請求項５】
前記先端チップが、前記射出口の周囲に配置された冷却手段を備える請求項１から請求項３のいずれかに記載のアブレーション装置。
【請求項６】
前記射出口が一方向に長い形状を有する請求項１から請求項５のいずれかに記載のアブレーション装置。
【発明の詳細な説明】
【技術分野】
【０００１】
本発明は、アブレーション装置に関するものである。
【背景技術】
【０００２】
従来、肺静脈内に挿入したカテーテルの先端から肺静脈の内面に向けてレーザ光を照射して焼灼することにより、肺静脈と左心房との間の電気伝播を遮断し不整脈の治療を行う装置が知られている（例えば、特許文献１参照。）。
【先行技術文献】
【特許文献】
【０００３】
【特許文献１】特開２００４−１０５７３５号公報
【発明の概要】
【発明が解決しようとする課題】
【０００４】
しかしながら、特許文献１の装置では、エネルギ密度の高いレーザ光を用いるために、取り扱いに注意を要するという不都合がある。
本発明は、上述した事情に鑑みてなされたものであって、取り扱い性を向上し、効率よく組織を焼灼することができるアブレーション装置を提供することを目的としている。
【課題を解決するための手段】
【０００５】
上記目的を達成するために、本発明は以下の手段を提供する。
本発明は、赤外光を含む白色光を発生する白色光源と、該白色光源から発せられた白色光を導光する導光部材と、該導光部材の先端に配置され、該導光部材内を導光されてきた白色光を射出する射出口を有する先端チップとを備え、該先端チップが、前記射出口の少なくとも一側に、該射出口を挟んだ反対側の端縁近傍に焦点を有し、前記導光部材内を導光されてきた白色光を反射して集光させる放物面状の反射面を有するアブレーション装置を提供する。
【０００６】
本発明によれば、白色光源から発せられた赤外光を含む白色光は、導光部材によって導光され、先端に設けられた先端チップによって集光されて射出口から射出される。先端チップまで導光されてきた白色光は、先端チップに設けられた反射面によって反射されることにより集光され射出口から射出される。
【０００７】
この場合において、反射面が放物面状に形成されるとともにその焦点が、射出口を挟んで反射面とは反対側の射出口の端縁近傍に配置されているので、反射面において反射された多くの白色光は、焦点近傍に集光されて射出口から射出される。これにより、レーザ光を用いずに白色光を用いるので取り扱い性を向上することができ、かつ、白色光であっても、エネルギ密度を高めて効率よく焼灼を行うことができる。
【０００８】
また、上記発明においては、前記先端チップが、前記射出口を挟んだ両側に、対称に配置された複数の前記反射面を備えていてもよい。
このようにすることで、導光部材によって導光されてきた大部分の白色光が、複数の反射面において反射されて集光され射出口から射出され、高いエネルギ密度で効率よく焼灼を行うことができる。
【０００９】
また、上記発明においては、前記反射面が、複合放物面集光系を構成していてもよい。
このようにすることで、導光部材によって導光されてきた白色光を無駄なく射出口に集光して効率よく焼灼を行うことができる。
【００１０】
また、上記発明においては、前記先端チップが、前記射出口の中心軸回りに全周にわたって配置された前記反射面を備えていてもよい。
このようにすることで、面対称型に比べて容易に製造することができる。
【００１１】
また、上記発明においては、前記先端チップが、前記射出口の周囲に配置された冷却手段を備えていてもよい。
このようにすることで、冷却手段の作動により先端チップの射出口の周囲が冷却され、先端チップに接触または近接させられる焼灼対象の焼灼時における過熱を防止することができる。
【００１２】
また、上記発明においては、前記射出口が一方向に長い形状を有していてもよい。
このようにすることで、射出口の位置を長手方向にずらしながら焼灼を行うことにより、効率的に連続した細長い領域を焼灼することができる。
【発明の効果】
【００１３】
本発明によれば、取り扱い性を向上し、効率よく組織を焼灼することができるという効果を奏する。
【図面の簡単な説明】
【００１４】
【図１】本発明の一実施形態に係るアブレーション装置を示す全体構成図である。
【図２】図１のアブレーション装置の先端チップを示す斜視図である。
【図３】図１のアブレーション装置の先端チップの反射面の形状を説明する図である。
【図４】図１のアブレーション装置の先端チップにおける光の経路を説明する縦断面図である。
【図５】図１のアブレーション装置の変形例を示す全体構成図である。
【図６】図２の先端チップの第１の変形例を示す縦断面図である。
【図７】図２の先端チップの第２の変形例を示す縦断面図である。
【図８】図２の先端チップの第３の変形例を示す斜視図である。
【発明を実施するための形態】
【００１５】
本発明の一実施形態に係るアブレーション装置１について図面を参照して以下に説明する。
本実施形態に係るアブレーション装置１は、図１に示されるように、白色光源２と、白色光源２からの白色光を導光する導光部材３と、該導光部材３の先端に配置された先端チップ４とを備えている。
【００１６】
白色光源２は、赤外光を含む白色光Ｌを発生するキセノンランプ２ａと、該キセノンランプ２ａから発せられた白色光Ｌを集光する反射部材２ｂとを備えている。反射部材２ｂは放物面鏡により構成され、該放物面鏡の対称軸上の焦点位置よりも鏡面から離れた位置にキセノンランプ２ａを配置することにより、キセノンランプ２ａから発せられた全ての白色光Ｌを導光部材３の白色光源２側の端面に集光させることができるようになっている。
【００１７】
導光部材３は、白色光源２の反射部材２ｂによる集光位置に一端を配置した光ファイバである。
導光部材３は、十分な可撓性を有し、照射対象Ａに合わせて湾曲させることで容易に光の照射位置まで先端チップ４を導入することができるようになっている。
【００１８】
先端チップ４は、図２に示されるように、光学的に透明な材質からなる円柱状の部材を２つの放物面状の反射面４ａ，４ｂによって切り欠いたような形状を有している。２つの反射面４ａ，４ｂの間に配置される先端部分には、円柱の中心軸に直交する平面状の射出口４ｃが配置されている。図中、符号５は、導光部材３と先端チップ４とを接続状態に維持する円筒状の接続部材である。
【００１９】
図３および図４は、図２の平面Ｂに沿う先端チップ４および導光部材３の先端部の縦断面図である。先端チップ４に形成されている放物面状の２つの反射面４ａ，４ｂは、図３に示されるように、それぞれ対称軸４ｄ，４ｅをそれぞれ傾斜させた２つの放物線に沿い、紙面に垂直な方向に延びる形状を有している。
【００２０】
この場合に、各反射面４ａ，４ｂの焦点Ｐ，Ｑは、それぞれ、射出口４ｃを挟んで反対側の端縁に配置されている。これにより、２つの放物面状の反射面４ａ，４ｂによって、複合放物面集光系（ＣＰＣ：Ｃｏｍｐｏｕｎｄ  Ｐａｒａｂｏｌｉｃ  Ｃｏｎｓｅｎｔｒａｔｏｒ）が構成され、図４に示されるように、対称軸４ｄ，４ｅと平行な方向から放物面からなる反射面４ａ，４ｂに入射した白色光Ｌは、１回の反射で、全て焦点Ｐ，Ｑの位置を通過するように集光させられ、それより浅い角度で反射面４ａ，４ｂに入射した光は、１回の反射で、全て射出口４ｃから外部に射出されるようになっている。
【００２１】
光ファイバからなる導光部材３内を導光されてきた白色光Ｌの開口数は制限されているので、先端チップ４内に入射する白色光Ｌのほとんど全てが、対称軸４ｄ，４ｅと平行な方向より浅い角度で放物面からなる反射面４ａ，４ｂに入射するようになっている。したがって、導光されてきた白色光Ｌのほとんど全てが、反射面４ａ，４ｂにおける１回の反射によって射出口４ｃ内に集光させられて、外部に射出させられるようになっている。
【００２２】
また、本実施形態に係るアブレーション装置１においては、射出口４ｃを挟んで２つの放物面状の反射面４ａ，４ｂを配置しているので、射出口４ｃは、図２に示されるように、円形の両側を切り欠いたような一方向に長い略矩形状に形成されている。
【００２３】
このように構成された本実施形態に係るアブレーション装置１によれば、キセノンランプ２ａから発せられたインコヒーレントな白色光Ｌは、導光部材３内を導光させられた後に、導光部材３の先端に配置された先端チップ４に入射され、先端チップ４によって集光されて射出口４ｃから射出される。この場合に、先端チップ４ｃ内に入射した白色光Ｌは、１回の反射によって焦点Ｐ，Ｑ近傍に集光されて射出口４ｃから射出されるので、反射を繰り返すことによる減衰を防止して、効率的に射出することができる。
【００２４】
すなわち、レーザ光のような強度の高いコヒーレント光を用いずに済むので、取り扱いが容易である。また、強度の低いインコヒーレントな白色光Ｌを用いても、先端チップ４によって効率的に集光するので、射出口４ｃの焦点Ｐ，Ｑ近傍におけるエネルギ密度を十分に高めて、効率的に照射対象Ａの焼灼を行うことができるという利点がある。
【００２５】
また、本実施形態に係るアブレーション装置１によれば、射出口４ｃが一方向に長い略矩形状に形成されているので、一回の焼灼処理により細長い領域を焼灼することができる。したがって、射出口４ｃを長手方向にずらしながら焼灼することにより、少ない回数で細長い領域を連続して焼灼することができるという利点がある。
【００２６】
なお、本実施形態においては、円柱状の先端チップ４の中心軸を通る平面を対称面として面対称となるように２つの放物面状の反射面４ａ，４ｂを配置したが、これに限定されるものではなく、単一の放物面のみを配置してもよいし、一方の反射面を平坦な傾斜面により構成してもよい。また、放物面状の反射面４ａ，４ｂの焦点位置を、射出口４ｃを挟んで反対側の端縁に配置したが、厳密に端縁上に配置されていなければならないことを意味するものではなく、端縁近傍に配置されていればよい。例えば、射出口４ｃ内に焦点Ｐ，Ｑが配置されていれば、さらに深い角度で反射面４ａ，４ｂに入射する白色光Ｌをも１回の反射で射出口４ｃから射出させることができる。
【００２７】
また、図５に示されるように、導光部材３から射出される白色光Ｌを偏向するプリズム６（例えば、９０°偏向する三角プリズム）を導光部材３と先端チップ４との間に配置してもよい。このようにすることで、導光部材３の軸線に対して交差する方向に白色光Ｌを射出させることができ、例えば、体腔内壁を焼灼する場合等に有効である。
【００２８】
また、先端チップ４として、透明な材質からなる円柱状の部材の一部に反射面４ａ，４ｂを有するものを採用したが、これに代えて、図６に示されるように、上述した先端チップ４の外面と相補的な形状を有する内面を有する中空の先端チップ１０を採用してもよい。この場合、先端チップ１０を金属材料によって構成することにより、内面を鏡面状に構成すればよい。このようにすることで、先端チップ１０の加工が容易となる。
【００２９】
また、図７に示されるように、冷却液Ｃを循環させる冷却液流路（冷却手段）１１を先端チップ１０内に形成してもよい。このようにすることで、白色光Ｌを集光させることにより加熱される先端チップ１０の射出口４ｃ近傍を冷却液Ｃによって冷却し、射出口４ｃの周辺の照射対象Ａを冷却することができ、焼灼の効果が周辺の広い領域に伝播してしまうことを防止することができるという利点がある。なお、冷却液流路１１に代えて、ペルチェ素子によって冷却することにしてもよい。
【００３０】
また、本実施形態においては、射出口４ｃを挟む位置に２つの放物面状の反射面４ａ，４ｂを配置したが、これに代えて、図８に示されるように、円形の射出口４ｃの全周を取り囲むように射出口４ｃの中心軸を中心として放物線を回転させた回転体形状の放物面からなる反射面４ｆを有する先端チップ１２を採用してもよい。このようにすることで、導光部材３から全方向に射出された白色光Ｌの全てを射出口４ｃに集光して射出させることができる。これにより、さらに白色光Ｌのエネルギ密度を高めて、効率的な焼灼を行うことができる。
【符号の説明】
【００３１】
Ｌ  白色光
Ｐ，Ｑ  焦点
１  アブレーション装置
２  白色光源
３  導光部材
４，１０，１２  先端チップ
４ａ，４ｂ，４ｆ  反射面
４ｃ  射出口
１１  冷却液流路（冷却手段）
【図１】
2013022210.tif 000003
【図２】
2013022210.tif 000004
【図３】
2013022210.tif 000005
【図４】
2013022210.tif 000006
【図５】
2013022210.tif 000007
【図６】
2013022210.tif 000008
【図７】
2013022210.tif 000009
【図８】
2013022210.tif 000010